(57)【要約】【課題】  浴槽の底に腰を下ろして入浴するときは足を伸ばして入浴できると共に洗い場から浴槽内に入るときは腰掛け段部に足をかけるおそれがなくて安全に浴槽内に入ることができる腰掛け付き浴槽を提供する。【解決手段】  子供が入浴時に座ったり、大人が半身浴するときに座ったりすることができる高さの腰掛け段部２を浴槽１内に設けた腰掛け付き浴槽である。そして洗い場３と反対側に偏った位置に腰掛け段部２を設ける。【選択図】        図１
2006006656.tif 000002
【特許請求の範囲】
【請求項１】
子供が入浴時に座ったり、大人が半身浴するときに座ったりすることができる高さの腰掛け段部を浴槽内に設けた腰掛け付き浴槽であって、洗い場と反対側に偏った位置に腰掛け段部を設けたことを特徴とする腰掛け付き浴槽。
【請求項２】
浴槽を平面から見て短手方向及び長手方向の略中央部を結ぶ線で区画した略１／４の領域で且つ洗い場と反対側に偏った位置に腰掛け段部が設けられたことを特徴とする請求項１記載の腰掛け付き浴槽。
【請求項３】
浴槽が設置される浴槽設置部と洗い場との間に配設された堰と腰掛け段部の高さが略同じ高さに形成されたことを特徴とする請求項１または請求項２記載の腰掛け付き浴槽。
【発明の詳細な説明】
【技術分野】
【０００１】
本発明は、子供が入浴時に座ったり、大人が半身浴するときに座ったりすることができる高さの腰掛け段部を浴槽内に設けた腰掛け付き浴槽に関するものである。
【背景技術】
【０００２】
近年、浴槽内に腰掛け段部を設け、この腰掛け段部に子供が座って入浴したり、大人が座って半身浴をしたりするようにした腰掛け付き浴槽が提供されている（例えば、特許文献１、特許文献２参照）。
【０００３】
浴槽１内に腰掛け段部２を設ける場合、図８に示すように浴槽１内の長手方向の端部に設けたり、図９に示すように浴槽１内の洗い場３側に偏った位置に設けたりしている。
【特許文献１】特開平１０−９４４９５号公報
【特許文献２】特開平６−３８８７９２号公報
【発明の開示】
【発明が解決しようとする課題】
【０００４】
ところが、図８のように浴槽１の長手方向の端部に浴槽１の幅方向に亙って腰掛け段部２を設けたものでは腰掛け段部２と反対側を背にして浴槽１に座って大人が入浴したとき腰掛け段部２が邪魔になって足を伸ばすことができず、窮屈な入浴姿勢でしか入浴できないという問題がある。
【０００５】
また図９に示すように浴槽１内の洗い場３側に偏るように腰掛け段部２を設けたものでは浴槽１内に座って入浴するとき足を伸ばすことができるが、洗い場３から浴槽１内に入るときに不用意に腰掛け段部２に足を掛けてしまうおそれがあり、浴槽１内に入るとき体が不安定になる危険性がある。また浴槽１を設置する浴槽設置部４と洗い場３のとの間に洗い場３側から浴槽設置部４側に水が流入するのを防止するために堰５が設けられるが、この堰５との浴槽１の洗い場３側の外面との間に手を入れてメンテナンスを行うことでできるようにするために浴槽１の洗い場３側の壁の下部に浴槽１内の方に凹んだ凹曲部６が形成され、この凹曲部６を設けることで凹曲部６の上端部を利用してアームレスト用段部７が形成されている。このアームレスト用段部７は堰５の上端よりかなり高い位置に設けられるものであり、このアームレスト用段部７に連続するように腰掛け段部２が設けられていると、腰掛け段部２の高さが高くなり、腰掛け段部２に座って入浴しているとき腰まで浸かることできず、足浴しかできないという弊害もあった。
【０００６】
本発明は上記の点に鑑みてなされたものであり、浴槽の底に腰を下ろして入浴するときは足を伸ばして入浴できると共に洗い場から浴槽内に入るときは腰掛け段部に足をかけるおそれがなくて安全に浴槽内に入ることができる腰掛け付き浴槽を提供することを課題とするものである。
【課題を解決するための手段】
【０００７】
上記課題を解決するための本発明の腰掛け付き浴槽は、子供が入浴時に座ったり、大人が半身浴するときに座ったりすることができる高さの腰掛け段部２を浴槽１内に設けた腰掛け付き浴槽であって、洗い場３と反対側に偏った位置に腰掛け段部２を設けたことを特徴とする。
【０００８】
上記構成によれば、子供が腰掛け段部２に座ることで子供が安全に入浴することができ、また大人が腰掛け段部２に座ることで半身浴をすることができるのは勿論、腰掛け段部２が洗い場３と反対側に偏った位置に設けられていることにより洗い場３から浴槽１内に入るとき腰掛け段部２に足を掛けたりするおそれがなくて安全に浴槽１内に入ることができ、また浴槽１に座って入浴するとき腰掛け段部２があっても足を伸ばして入浴することができて窮屈にならない。
【０００９】
また浴槽１を平面から見て短手方向及び長手方向の略中央部を結ぶ線で区画した略１／４の領域で且つ洗い場３と反対側に偏った位置に腰掛け段部２が設けられたことを特徴とすることも好ましい。このように構成することにより、浴槽１の洗い場３側と反対側で長手方向の一端側の略１／４の領域に腰掛け段部２を設けることができて腰掛け段部２を通常の入浴の邪魔にならない位置で且つ腰掛け段部２を使用するのに便利な位置に設けることができる。
【００１０】
また浴槽１が設置される浴槽設置部４と洗い場３との間に配設された堰５と腰掛け段部２の高さが略同じ高さに形成されたことを特徴とすることも好ましい。堰５の高さと略同じ高さ位置と略同じ低い高さ位置に腰掛け段部２を設けたことにより腰掛け段部２に座ってに座って入浴するとき少なくも腰まで湯に浸かることができて足浴しかできないというようなことがおこらない。
【発明の効果】
【００１１】
本発明は叙述の如く構成されているので、腰掛け段部が洗い場と反対側に偏った位置に設けられていることにより洗い場から浴槽内に入るとき腰掛け段部に足を掛けたりするおそれがなくて安全に浴槽内に入ることができるという効果があり、また浴槽に座って入浴するとき腰掛け段部があっても足を伸ばして入浴することができて窮屈にならないという効果がある。
【発明を実施するための最良の形態】
【００１２】
以下、本発明を添付図面に示す実施形態に基いて説明する。
【００１３】
浴槽１の浴槽本体１ａは図１乃至図３に示すように平面から見て卵形に形成されており、外形が矩形状になるように周縁にフランジ１ｂを設けてある。浴槽本体１ａの上端の外周縁には卵形に縁取られた飾り縁８を設けてある。浴室９の防水床パン１０には浴槽設置部４と洗い場３とが設けられており、浴槽設置部４と洗い場３との間には洗い場３から浴槽設置部４側に水が流入するのを阻止するための堰５が設けられている。この防水床パン１０の浴槽設置部４の上には上記浴槽１が設置されている。
【００１４】
この浴槽１の浴槽本体１ａ内には浴槽本体１ａの底面より一段高さが高くなるように腰掛け段部２を設けてあり、腰掛け段部２に子供が座って入浴したり大人が座って半身浴をしたりできるようになっている。この腰掛け段部２は浴槽本体１内の洗い場３と反対側に偏った位置で且つ浴槽１の長手方向の一端側に偏った位置に設けてある。そして浴槽１を平面から見たとき浴槽１の長手方向と平行な中心線と浴槽１の短手方向の中心線とで区画した略１／４の領域内に腰掛け段部２が位置するように設けてある。腰掛け段部２の高さは堰５の上端と略同じ高さであり、具体的には浴槽本体１ａの底面に対して約１５０ｍｍの高さである。
【００１５】
この浴槽１の浴槽本体１ａの洗い場３側の壁の下部には浴槽本体１ａ内に凹んだ凹曲部６を設けてあり、この凹曲部６にて堰５と浴槽本体１ａとの間に手を入れることができる隙間を形成してある。この凹曲部６を設けることにより凹曲部６の上端にアームレスト用段部７を形成してある。また浴槽本体１ａの洗い場３側と反対側にもアームレスト用段部１１を形成してある。
【００１６】
浴槽１の浴槽本体１ａ内の底面には洗い場３側に偏った位置で且つ浴槽１の長手方向の略中央の位置で排水口１２を設けてあり、また洗い場３の浴槽１側に偏った位置にも排水口１３を設けてあり、排水口１２，１３を防水床パン１０の下の排水トラップ１４に連通させてあり、排水トラップ１４を排水管１５に連通させてある。また浴槽１のフランジ１ａの洗い場３の端縁と堰５との間にはエプロン１６を装着してある。
【００１７】
上記のような浴槽１に湯を張って入浴するとき、浴槽本体１が卵形に形成されているために入浴者Ｈは卵形の曲面に包まれた状態で入浴することができて癒される感覚で入浴することができる。入浴者Ｈが通常入浴する場合は、図４（ａ）に示すように腰掛け段部２と反対である長手方向の端部に背を向けて浴槽１内に座って入浴する。このとき腰掛け段部２が洗い場３側と反対側に偏っているために腰掛け段部２を避けて足を伸ばして図４（ａ）の矢印Ａ方向を向いた姿勢で座ることができる。このため腰掛け段部２が邪魔にならないように足を伸ばして入浴できて窮屈さを感じないで楽な姿勢で入浴することができる。また入浴者Ｈが半身浴をする場合、図４（ｂ）のように腰掛け段部２に入浴者Ｈが矢印Ｂ方向を向いた姿勢で座って入浴することができる。
【００１８】
また入浴者Ｈとして親子が一緒に入浴する場合、図５（ａ）のように親Ｈ１が腰掛け段部２と反対側である長手方向の端部に背を向けて浴槽１内に座り、子供Ｈ２が腰掛け段部２に座り入浴することができる。このとき親子の視線が矢印Ｃのように交わって楽しい入浴ができる。また図５にように親Ｈ１が洗い場３に居るときも矢印Ｄのように視線が交わって楽しい入浴ができる。
【００１９】
また腰掛け段部２が堰５の高さと略同じで浴槽１の底から約１５０ｍｍの高さであるため、大人の入浴者Ｈが腰掛け段部２に座って図６（ａ）のように半身浴をするとき腰まで浸かることができて快適に半身浴を行うことができる。また子供Ｈ２が腰掛け段部２に座って入浴するときは図６（ｂ）に示すように肩まで浸かって入浴することができる。
【００２０】
また洗い場３から入浴者Ｈが跨いで浴槽１内に入るときは腰掛け段部２が洗い場３と反対側に偏っているために図７に示すように安定した姿勢で跨いで浴槽１内に入ることができる。
【図面の簡単な説明】
【００２１】
【図１】本発明の実施の形態の一例の浴槽の斜視図である。
【図２】同上の浴槽を設置した浴室の斜視図である。
【図３】（ａ）は同上の浴槽の平面図、（ｂ）は（ａ）のＸ−Ｘ線断面図、（ｃ）は浴室の浴槽を設置した状態の断面図である。
【図４】（ａ）（ｂ）は入浴状態を説明する平面図である。
【図５】（ａ）（ｂ）は他の入浴状態を説明する平面図である。
【図６】（ａ）（ｂ）は入浴状態を説明する断面図である。
【図７】浴槽に入る状態を説明する断面図である。
【図８】（ａ）は一従来例の浴槽を示す平面図、（ｂ）は（ａ）の断面図である。
【図９】（ａ）は他の従来例の浴槽を示す平面図、（ｂ）（ｃ）は浴槽を浴室に設置した状態を示す断面図である。
【符号の説明】
【００２２】
１  浴槽
２  腰掛け段部
３  洗い場
【図１】
2006006656.tif 000003
【図２】
2006006656.tif 000004
【図３】
2006006656.tif 000005
【図４】
2006006656.tif 000006
【図５】
2006006656.tif 000007
【図６】
2006006656.tif 000008
【図７】
2006006656.tif 000009
【図８】
2006006656.tif 000010
【図９】
2006006656.tif 000011